(57)【特許請求の範囲】
【請求項１】
被洗浄車両と洗車機本体を相対移動させて前記被洗浄車両の洗浄を行う洗車設備であって、
前記被洗浄車両の移動径路に面する操作面を有する操作装置を設け、
前記洗車機本体と前記操作装置の少なくとも一方に、音声発生手段を設け、
前記音声発生手段を、アナウンス内容毎に音量を設定可能な構成としたこと
を特徴とする洗車設備。
【請求項２】
被洗浄車両と洗車機本体を相対移動させて前記被洗浄車両の洗浄を行う洗車設備であって、
前記被洗浄車両の移動径路に面する操作面を有する操作装置を設け、
前記洗車機本体と前記操作装置の少なくとも一方に、音声発生手段を設け、
前記音声発生手段を、アナウンス内容毎に繰り返し回数を設定可能な構成としたこと
を特徴とする洗車設備。
【請求項３】
アナウンス内容が、運転者への被洗浄車両の移動に関する指示のときに、音量を高め、あるいは繰り返すこと
を特徴とする請求項１または請求項２に記載の洗車設備。
【請求項４】
アナウンス内容と、アナウンス内容毎の音量あるいは繰り返し回数を、操作装置において設定可能としたこと
を特徴とする請求項１〜請求項３のいずれかに記載の洗車設備。
【発明の詳細な説明】
【０００１】
【発明の属する技術分野】
本発明は、被洗浄車両と洗車機本体を相対移動させて前記被洗浄車両の洗浄を行う洗車設備、特にセルフ洗車を行う洗車設備に関するものである。
【０００２】
【従来の技術】
セルフ洗車とは、洗車開始前、被洗浄車両の運転者が自ら洗車位置への被洗浄車両の進入（移動）と洗車設備の操作を行い、洗車終了後、運転者が自ら被洗浄車両を退場させることをいっている。
【０００３】
このようなセルフ洗車を行う洗車設備（洗車装置）において、上記運転者が自ら操作を行う操作装置の一例が、特開平７−２１５１７７号公報に開示されている。
【０００４】
この操作装置は、洗車装置への進入径路の側方に設置されており、床面に固定された四角柱状の支持脚と、この支持脚の上端に設けられた操作箱とにより構成されている。この操作箱の操作面は前記進入径路に対向しており、洗車コースなどの洗車条件を設定するための設定ボタンや料金支払い用硬貨投入孔、会員カード挿入口などが設けられている。また支持脚には、運転者に対して、「進入して下さい」というメッセージと「お待ち下さい」というメッセージを音声で知らせるスピーカが内蔵されている。
【０００５】
この操作装置により、運転者は自ら洗車コースなどの設定を行うことができ、また目視だけでなく、耳からも指示を受けることができる。
【０００６】
【発明が解決しようとする課題】
しかし、上記洗車装置において、スピーカからのメッセージは音量に強弱がなく、また一度に何回も繰り返すことがないので、運転者の注意を喚起する効果が低く、内容が精度よく伝達されない恐れがあった。
【０００７】
また運転者がメッセージの指示通りに車両を進入（移動）させないとき、洗車機本体と被洗浄車両の相対位置が規定された位置とは異なり、良好に洗車されない恐れもあった。
【０００８】
そこで、本発明は、セルフ洗車を行う洗車設備であって、運転者への指示のアナウンスに際して、運転者の注意を強く喚起できる洗車設備を提供することを目的としたものである。
【０００９】
【課題を解決するための手段】
前述した目的を達成するために、本発明のうち請求項１記載の発明は、被洗浄車両と洗車機本体を相対移動させて前記被洗浄車両の洗浄を行う洗車設備であって、
前記被洗浄車両の移動径路に面する操作面を有する操作装置を設け、前記洗車機本体と前記操作装置の少なくとも一方に、音声発生手段を設け、前記音声発生手段を、アナウンス内容毎に音量を設定可能な構成としたことを特徴とするものである。
【００１０】
上記構成によれば、アナウンス内容毎に音量の強弱を付けることが可能となり、重要な内容を被洗浄車両の運転者へ伝達するとき音量を高めることにより、指示内容を強調して伝達することができ、運転者は、必要な情報が目視のみでなく耳から精度良く受け入れられる。
【００１１】
さらに請求項２記載の発明は、被洗浄車両と洗車機本体を相対移動させて前記被洗浄車両の洗浄を行う洗車設備であって、
前記被洗浄車両の移動径路に面する操作面を有する操作装置を設け、前記洗車機本体と前記操作装置の少なくとも一方に、音声発生手段を設け、前記音声発生手段を、アナウンス内容毎に繰り返し回数を設定可能な構成としたことを特徴とするものである。
【００１２】
上記構成によれば、アナウンス内容毎に繰り返し回数に段階を付けることが可能となり、重要な内容を被洗浄車両の運転者へ伝達するとき繰り返し回数を増すことにより、指示内容を強調して伝達することができ、運転者は、必要な情報が目視のみでなく耳から精度良く受け入れられる。
【００１３】
また請求項３記載の発明は、上記請求項１または請求項２に記載の発明であって、アナウンス内容が、運転者への被洗浄車両の移動に関する指示のときに、音量を高め、あるいは繰り返すことを特徴とするものである。
【００１４】
上記構成によれば、車両の移動の指示が強調して伝達されることにより、運転者はメッセージの指示通りに車両を進入（移動）させる。よって、洗車機本体と被洗浄車両の相対位置が規定された位置となり、良好な洗車が行われる。
【００１５】
また請求項４記載の発明は、上記請求項１〜請求項３のいずれかに記載の発明であって、アナウンス内容と、アナウンス内容毎の音量あるいは繰り返し回数を、操作装置において設定可能としたことを特徴とするものである。
【００１６】
上記構成によれば、アナウンス内容と、アナウンス内容毎の音量あるいは繰り返し回数が操作装置により設定される。よって、洗車設備が設置された環境や被洗浄車両の運転者の反応に応じて作業員が判断して、アナウンス内容、アナウンス内容毎の音量あるいは繰り返し回数を変更できる。
【００１７】
【発明の実施の形態】
以下、本発明の実施の形態を図面に基づいて説明する。
［実施の形態１］
図１，図２において、１は、床面に敷設された左右一対の外側レール２に支持案内されて前後方向Ａに往復移動自在な洗車機本体であり、その往復移動は走行駆動装置３により行われる。また、洗車機本体１は、正面視において門型をしており、その内部には車両４を洗浄するトップブラシやサイドブラシ、送風し車両４を乾燥するサイドノズルやトップノズルなどからなる洗車装置（図示せず）が配設され、さらに外側レール２に沿って配置された被検出体（図示せず）を検出することにより、洗車機本体１が最奥部のホームポジションＨＰ（原点）に位置することを検出するリミットスイッチからなるホームポジション検出スイッチ５と、走行端のエンドポジションＥＰ（終点）に位置することを検出するリミットスイッチからなるエンドポジション検出スイッチ６が配設されている。
【００１８】
７は、床面上に外側レール２に沿ってその内側に、洗車機本体１内を貫いてその左右方向の中心に敷設された左右一対の駆動ローラコンベヤであり、ローラコンベヤ７の左右方向の間隔を車両４の左右の車輪４Ａの（左右）間隔としている。各ローラコンベヤ７の左右方向の幅は、車輪４Ａの幅に余裕を持たせた幅としている。ローラコンベヤ７の正逆駆動は作動装置８により行われる。また一方のローラコンベヤ７の所定の洗車開始時の車両停止位置に車両４が載ったことを前輪４Ａの検出により検出する車載検出スイッチ９が設けられている。
【００１９】
また洗車機本体１の前面上方の中央部には、被洗浄車両４の車高を検出する超音波センサからなる車高検出センサ（車高検出手段の一例）10が設けられ、また洗車機本体１の内部上方位置に、車両４に対してアナウンスするスピーカ（音声発生手段の一例）12が設けられている。
【００２０】
また洗車機本体１の後方には、車両４の運転席から視認可能な位置に、退場誘導灯14が設けられ、また洗車機本体１の後方の退場する車両４の通路には、車両４の通過を検出する一対の光電スイッチからなる車両退場検出スイッチ15が設けられている。
【００２１】
また、ローラコンベヤ７の前端部外方には、車両４の進入を阻止する遮断器17が設けられ、さらに遮断器17の前側上方に、遮断器17の前の進入通路（移動径路の一例）Ｓへの車両４の進入を検出する超音波センサからなる車両検出センサ18が設けられ、進入通路Ｓに面してその側方に操作装置19が設けられている。
【００２２】
この操作装置19は、図３に示すように、床面に固定された四角柱状の支持脚21と、この支持脚の上端に設けられたリモートパネル（操作箱）22とにより構成されている。このリモートパネル22の操作面23は進入径路Ｓに対向しており、この操作面23には、洗車スタートスイッチ、洗車ストップスイッチ、洗車コース選択スイッチ、洗車条件を設定するための設定スイッチなどのスイッチ群24や硬貨投入孔を備えた料金ボックス25、会員カード挿入口を備えたカード識別器26などが設けられている。さらに、支持脚21には、運転者にメッセージを音声で知らせるスピーカ（音声発生手段の一例）33が内蔵されている。
【００２３】
また図１，図４，図５に示すように、洗車機本体１の右方前面には、被洗浄車両４内の運転者に対して進入および待機を指示する信号器27がアーム28を介して車両進入方向の手前側に突出した状態で取付けられている。このアーム28の一端は洗車機本体１にボルト，ナット（図示せず）を介して連結され、アーム28の他端部は上向きに曲げられ、上記信号器27はアーム28の他端にボルト，ナット（図示せず）を介して取付けられている。この信号器27の前面上部には「進入して下さい」というメッセージが表示され、進入回転灯（青色ランプ）29が設けられ、信号器27の前面下部には「お待ち下さい」というメッセージが表示され、待機回転灯（赤色ランプ）30が設けられている。
【００２４】
またアーム28の途中には、斜め前方に向けた停止回転灯（赤色ランプ）37と『赤ランプ点灯まで前進してください』が印字されたプレート38を上下に配置した停止パネル39が取り付けられている。図４において、40は洗車機本体１に内蔵されたマイクロコンピュータからなる制御装置（制御手段の一例）41（図１）の保守用の扉である。
【００２５】
また、図６に示すように、洗車設備の走行駆動制御系は、洗車機本体１に設けた、洗車設備の制御装置41、操作装置19のスイッチ群24と料金ボックス25とカード識別器26、各ポジション検出スイッチ５，６、車高検出センサ10、走行駆動装置３、スピーカ12，33、進入回転灯（青色ランプ）29、待機回転灯（赤色ランプ）30、および停止回転灯（赤色ランプ）37と、ローラコンベヤ７に設けた車載検出スイッチ９および作動装置８と、車両検出センサ18、車両退場検出スイッチ15、遮断器17、退場誘導灯14から構成され、制御装置41にこれら機器が接続されている。制御装置41は、スイッチ群24からの起動、停止などの操作信号、各ポジション検出スイッチ５，６、車載検出スイッチ９、車両検出センサ18、車高検出センサ10、車両退場検出スイッチ15の検出信号などを入力して、操作信号に応じて、走行駆動装置３、スピーカ12，33、作動装置８、遮断器17、退場誘導灯14、進入回転灯（青色ランプ）29、待機回転灯（赤色ランプ）30、および停止回転灯（赤色ランプ）37を制御して、洗車設備全体の動作を制御している。
【００２６】
制御装置41による、洗車機本体１のスピーカ12と操作装置19のスピーカ33よりアナウンスされるメッセージの一覧を表１に示す。スピーカ12，33はアナウンス内容毎に音量を設定可能な構成となっている。このアナウンス内容毎の音量の設定は操作装置19のスイッチ群24により行うことができる（たとえば、表１のメッセージのデータナンバーを指定して、強あるいは弱を設定する）。またアナウンスされるアナウンス内容（メッセージ）の変更も操作装置19により行うようにすることも可能である。
【００２７】
【表１】
0003644336.tif 000002
表１に示すように、被洗浄車両４の走行／停止に関する指示、および異常時の警告について、音量を大きく（強く）して、被洗浄車両４の運転者へ伝達している。
【００２８】
以下、制御装置41による洗車機本体１とローラコンベヤ７の移動動作を図７および図８のフローチャートにしたがって説明する。
洗車開始前においては、図１に示すように、上記洗車機本体１は最奥部のホームポジションＨＰに待機させており、また遮断器17は閉じた状態とされ、待機回転灯（赤色ランプ）30を点灯させている。
【００２９】
まず、車両検出センサ18により洗車を行う車両４を検出すると（ステップ−１）、操作装置19のスピーカ33により、『アンテナを下げラジオを消して下さい。』を音量“強”でアナウンスを行い（ステップ−２）、続けて『ドアミラーをたたんで下さい。』を音量“強”でアナウンスを行い（ステップ−３）、続けて『カードまたは料金を入れて下さい。』を音量“弱”でアナウンスを行う（ステップ−４）。
【００３０】
運転者は、このアナウンスによりアンテナを下げ、ドアミラーをたたんだ後、硬貨あるいはカードにより料金を支払う。
次に、料金ボックス25あるいはカード識別器26より料金あるいはカードの挿入が確認されると（ステップ−５）、スピーカ33により『洗車コースボタンを押して下さい。』を音量“弱”でアナウンスを行う（ステップ−６）。
【００３１】
運転者は、このアナウンスによりスイッチ群24により洗車コースを選択する。次にスイッチ群24の選択操作信号を確認すると（ステップ−７）、このコースにより前記料金の過不足を判断し（ステップ−８）、不足していると、『料金不足です。料金を追加して下さい。』を音量“弱”でアナウンスを行い（ステップ−９）、料金を超えている場合には、硬貨によるとき、料金ボックス25によりお釣りを支払わせ、カードのとき、カード識別機26によりカードを返却させ（ステップ−10）、『カードをお取り下さい。』を音量“弱”でアナウンスを行う（ステップ−11）。
【００３２】
次に、『お車のタイプを選んで下さい。』を音量“弱”でアナウンスを行う（ステップ−12）。
運転者は、このアナウンスによりスイッチ群24により車両のタイプを選択する。
【００３３】
次に車両のタイプの選択操作信号を確認すると（ステップ−13）、スピーカ33により『装備品があれば該当するボタンを押して下さい。なければ確認ボタンを押して下さい。』を音量“弱”でアナウンスを行う（ステップ−14）。
【００３４】
運転者は、このアナウンスによりスイッチ群24により装備品があれば該当するボタンを押し、なければ確認ボタンを押す。
次に装備品の該当ボタンの操作信号を確認すると（ステップ−15）、スピーカ33により『ほかの装備品がなければ確認ボタンを押して下さい。』を音量“弱”でアナウンスを行う（ステップ−16）。
【００３５】
運転者は、このアナウンスによりスイッチ群24により装備品があれば該当するボタンを押し、なければ確認ボタンを押す。
次に、確認ボタンの操作信号を確認すると（ステップ−17）、車載検出スイッチ９がオフがどうかを確認し（ローラコンベヤ７上の車両４の有無を確認し）（ステップ−18）、オフのとき、遮断器17を開駆動し（ステップ−19）、進入回転灯（青色ランプ）29を点灯し、待機回転灯（赤色ランプ）30を消灯し（ステップ−20）、スピーカ33により、『赤い停止回転灯が点灯するまでゆっくり前進して下さい。』を音量“強”でアナウンスを行う（ステップ−21）。
【００３６】
車両４の運転者は、進入回転灯（青色ランプ）29の点灯を確認し、遮断器17が開くと、車両４を前進させてローラコンベヤ７上へ乗り入れる。
次に車載検出スイッチ９がオンかどうかを確認し（ステップ−22）、車載検出スイッチ９がオンとなると、停止回転灯（赤色ランプ）37を点灯し（ステップ−23）、洗車機本体１のスピーカ12により、『車を止めて下さい。ギヤをパーキングにしサイドブレーキを強くかけて下さい。』を音量“強”でアナウンスを行う（ステップ−24）。そして、遮断器17を閉駆動し（ステップ−25）、進入回転灯（青色ランプ）29を消灯し、待機回転灯（赤色ランプ）30を点灯する（ステップ−26）。
【００３７】
車両４の運転者は、停止回転灯（赤色ランプ）37が点灯すると車両４を停止させる。これにより、洗車開始時の車両停止位置へ車両４が停止される。
次に、スピーカ12により、『窓を閉め終わってから、エンジンを止めて下さい。まもなく洗車が始まります。』を音量“強”でアナウンスを行う（ステップ−27）。
【００３８】
車両４の運転者は、このアナウンスにより窓を閉めて洗車の開始を待つ。
次に、洗車機本体１の走行駆動装置３を前方に駆動し（ステップ−28）、ローラコンベヤ７の作動装置８を後方に作動させる（ステップ−29）。これにより、洗車機本体１は外側レール２に支持案内されてホームポジションＨＰから前方へ走行移動し、洗車装置により所定の洗車工程を行う（ステップ−30）。このとき、ローラコンベヤ７は洗車機本体１と逆方向に作動されることから、車両４は洗車機本体１と逆方向に移動する（相対移動する）。以て、洗車の際、洗車機本体１の移動距離を短縮して洗車し得る。
【００３９】
そして、エンドポジションスイッチ６が動作し、図１に示すように、洗車機本体１が走行端のエンドポジションＥＰに到達したことを確認すると（ステップ−31）、洗車機本体１の走行駆動装置３を後方に駆動し（ステップ−32）、ローラコンベヤ７の作動装置８を前方に作動させる（ステップ−33）。これにより、洗車機本体１は外側レール２に支持案内されてエンドポジションＥＰから後方へ走行移動し、洗車装置により所定の洗車工程を行う（ステップ−34）。このとき、ローラコンベヤ７は洗車機本体１と逆方向に作動されることから、車両４は逆方向の前方に移動する。
【００４０】
その後、洗車機本体１がホームポジションＨＰに戻ると（ステップ−35）、洗車機本体１の走行駆動装置３を停止し（ステップ−36）、退場誘導灯14を点灯すし（ステップ−37）、スピーカ12により、『洗車終了しました。お車をゆっくり排出して下さい。』を音量“強”でアナウンスを行う（ステップ−38）。
【００４１】
これにより、洗車機本体１はホームポジションＨＰで停止し、運転者は車両４を前進させてローラコンベヤ７より下ろし、退場させる。
車両４の移動（退場）により車両退場検出スイッチ15がオンとなると（ステップ−39）、退場誘導灯14を消灯し（ステップ−40）、終了する。
【００４２】
なお、洗車機本体１あるいはローラコンベヤ７に異常が発生すると、洗車機本体１およびローラコンベヤ７を停止し、スピーカ12により、『異常停止です。そのままじばらくお待ち下さい。』を音量“強”でアナウンスを行う。
【００４３】
このように、洗車機本体１と車両４を互いに逆方向に移動させて、洗車することにより、洗車機本体１の移動距離を短縮して洗車することができ、洗車設備の設置スペースを縮小することができる。
【００４４】
また、アナウンス内容毎に音量の強弱を付け、車両４の移動に関する重要な内容を被洗浄車両の運転者へ伝達するとき音量を高めることにより、強調して伝達することができ、運転者は、必要な情報が目視のみでなく耳から精度良く受け入れることができ、よって運転者の運転（車両の移動）に依存する、洗車機本体１と車両４の相対位置関係を精度良く維持することができ、安全で良好な洗車を実行することができる。
【００４５】
またアナウンス内容とアナウンス内容毎の音量が操作装置１９により設定できることにより、洗車設備が設置された環境や被洗浄車両４の運転者の反応に応じて作業員が判断して、アナウンス内容、アナウンス内容毎の音量を変更することができる。
【００４６】
なお、本実施の形態１では、アナウンス内容毎の音量を強／弱の２段階で設定しているが、より細かく段階的に、たとえば５段階（レベル１〜レベル５）で設定するようにすることもできる。
［実施の形態２］
図９，図10に示すように、洗車機本体１に、ホームポジション検出スイッチ５Ａに加えて、ＨＰより所定距離前方の洗車開始ポジション（洗車原点）を検出するリミットスイッチからなる洗車ポジション検出スイッチ５Ｂを設け、洗車機本体１に、被洗浄車両４の所定位置（図９では洗車機本体１内の前方位置）への進入を検出するために、洗車機本体１の内部前方位置に光電スイッチからなる２個の車両進入検出スイッチ（車両進入検出手段の一例）11Ａ，11Ｂを設けている。第１車両進入検出スイッチ11Ａは、全てのタイプの車両４の先端の進入を検出し、第１車両進入検出スイッチ11Ａの上方に配置される第２車両進入検出スイッチ11Ｂは、第１車両進入検出スイッチ11Ａとともにワンボックスタイプの車両４の先端の進入を検出を検出する。
【００４７】
また実施の形態１の操作装置19に代えて、洗車機本体１の左側部から前方にアーム51を突設し、このアーム51の先端に、操作装置（リモートパネル）52を設けている。
【００４８】
この操作装置52のローラコンベヤ７を向いた面（車両４の側面に面する面）には、上記実施の形態１の操作装置19と同様に、スイッチ群24、料金ボックス25、カード識別機26が配設されている。この面は門型洗車機本体１の内部面と面一としている。また図１１に示すように、操作装置52の前面には、実施の形態１と同様に、信号器27がアーム28を介して取付けられ、さらに操作装置52の後面からアーム28を突出させて、このアーム28の先端に、実施の形態１と同様に、斜め前方に向けた停止回転灯（赤色ランプ）37と『赤ランプまで前進してください』が印字されたプレート38を上下に配置した停止パネル39が取り付けられている。
【００４９】
また操作装置52の前後にはそれぞれ、『手が届かないとき押してください』と印字されたプレート55と、操作押しボタンスイッチ56が取り付けられ、移動方向を示す三角形状の矢印57が印字された移動操作パネル58，59がローラコンベヤ７に向けて取り付けられている。
【００５０】
また洗車機本体１が後述する洗車機本体１の洗車待機位置に在り、被洗浄車両４の前輪４Ａが車載検出スイッチ９により検出されているとき（所定の洗車開始時の停止位置に停止しているとき）、前輪４Ａ中心位置と操作装置52の前後中心位置との距離Ｍが、普通乗用車の前輪中心位置と運転席の中心位置との距離と略一致し、かつ前記扉40が操作装置52に当接しないようにアーム51の長さを設定している。よって、乗用車タイプの車両４の車輪（前輪）４Ａが車載検出スイッチ９に検知される位置（車両停止位置）に在るとき、運転席の窓に対向して操作装置52の操作面が位置する。
【００５１】
また、図１２に示すように、洗車設備の走行駆動制御系は、洗車機本体１に設けた、洗車設備の制御装置41、操作装置52のスイッチ群24、料金ボックス25、カード識別機26と、移動操作パネル58，59の操作押しボタンスイッチ56、各ポジション検出スイッチ５Ａ，５Ｂ，６、車高検出センサ10、車両進入検出スイッチ11Ａ，11Ｂ、走行駆動装置３、スピーカ12、進入回転灯（青色ランプ）29、待機回転灯（赤色ランプ）30、および停止回転灯（赤色ランプ）37と、ローラコンベヤ７に設けた車載検出スイッチ９および作動装置８と、車両検出センサ18、車両退場検出スイッチ15、遮断器17、退場誘導灯14から構成され、制御装置41にこれら機器が接続されている。制御装置41は、操作装置52からの起動、停止などの操作信号、各ポジション検出スイッチ５Ａ，５Ｂ，６、車載検出スイッチ９、車両検出センサ18、車高検出センサ10、車両進入検出スイッチ11Ａ，11Ｂ、車両退場検出スイッチ15の検出信号などを入力して、操作信号に応じて、走行駆動装置３、スピーカ12、作動装置８、遮断器17、退場誘導灯14、進入回転灯（青色ランプ）29、待機回転灯（赤色ランプ）30、および停止回転灯（赤色ランプ）37を制御して、洗車設備全体の動作を制御している。
【００５２】
制御装置41による、洗車機本体１のスピーカ12よりアナウンスされるメッセージの一覧を表２に示す。スピーカ12は、アナウンス内容毎に繰り返し回数を設定可能な構成としている。このアナウンス内容毎の繰り返し回数の設定は操作装置52のスイッチ群24により行うことができる（たとえば、表２のメッセージのデータナンバーを指定して、繰り返し回数を設定する）。またアナウンスされるアナウンス内容（メッセージ）の変更も操作装置52により行うようにすることも可能である。
【００５３】
【表２】
0003644336.tif 000003
表２に示すように、被洗浄車両４の走行／停止に関する指示、および異常時の警告について、繰り返し回数を多く（大きく）して、被洗浄車両４の運転者へ伝達している。
【００５４】
以下、制御装置41による洗車機本体１とローラコンベヤ７の移動動作を図13〜図15のフローチャートにしたがって説明する。
洗車開始前においては、図９に示すように、上記洗車待機位置まで洗車機本体１を最奥部のホームポジションＨＰより前進させて待機させている。また遮断器17は閉じた状態とされ、待機回転灯（赤色ランプ）30を点灯させている。
【００５５】
まず、車両検出センサ18により洗車を行う車両４を検出すると（ステップ−１）、車載検出スイッチ９がオフがどうかを確認し（ローラコンベヤ７上の車両４の有無を確認し）（ステップ−２）、オフのとき、遮断器17を開駆動し（ステップ−３）、進入回転灯（青色ランプ）29を点灯し、待機回転灯（赤色ランプ）30を消灯する（ステップ−４）。
【００５６】
続いてスピーカ12により、『赤い停止回転灯が点灯するまでゆっくり前進して下さい。』を繰り返し回数“５”でアナウンスを行う（ステップ−５）。
車両４の運転者は、進入回転灯（青色ランプ）29の点灯を確認し、遮断器17が開くと、車両４を前進させてローラコンベヤ７上へ乗り入れる。
【００５７】
車両４がローラコンベヤ７上へ乗り入れられ、第１車両進入検出スイッチ11Ａがオンとなり洗車機本体１内への車両４の進入を確認すると（ステップ−６）、第２車両進入検出スイッチ11Ｂの検出信号と車高検出センサ10の車高データにより車両４が普通乗用車タイプの車両かワンボックスタイプの車両かミニバンタイプの車両かを判断する（ステップ−７）。車両４の進入が検出されるとき、ワンボックスタイプあるいはミニバンタイプの車両の場合、天井部あるいはその近傍の車高が検出され、普通乗用車タイプの車両の場合、フロント部の車高が検出されるため、車高データにより、ワンボックスタイプあるいはミニバンタイプの車両と普通乗用車タイプの車両が区別され、ワンボックスタイプの車両４のときのみ、第１車両進入検出スイッチ11Ａとともに第２車両進入検出スイッチ11Ｂがオンとなることにより、ワンボックスタイプの車両とミニバンタイプの車両を区別できる。
【００５８】
この判断された車両４のタイプが普通乗用車タイプ（あるいはミニバンタイプ）であると確認すると（ステップ−８）、車載検出スイッチ９がオンかどうかを確認する（ステップ−９）。車載検出スイッチ９がオンとなると、停止回転灯（赤色ランプ）37を点灯し（ステップ−10）、スピーカ12により、『車を止めて下さい。ギヤをパーキングにしサイドブレーキを強くかけて下さい。』を繰り返し回数“３”でアナウンスを行う（ステップ−11）。そして、遮断器17を閉駆動し（ステップ−12）、進入回転灯（青色ランプ）29を消灯し、待機回転灯（赤色ランプ）30を点灯する（ステップ−13）。
【００５９】
車両４の運転者は、停止回転灯（赤色ランプ）37が点灯すると車両４を停止させる。これにより、洗車開始時の車両停止位置へ車両４が停止される。
次にスピーカ12により、『カードまたは料金を入れて下さい。』を繰り返し回数“１”でアナウンスを行う（ステップ−14）。
【００６０】
このとき、普通乗用車タイプ（あるいはミニバンタイプ）の車両４が標準より小型車の場合、前輪と運転席の窓との距離が標準より短く、運転席の窓より後方の位置に操作装置52が位置するときがある。このとき、運転者は窓を開けて、左側移動操作パネル58の操作押しボタンスイッチ56を操作する。
【００６１】
この左側移動操作パネル58の操作押しボタンスイッチ56の操作信号を確認すると（ステップ−15）、一定時間、走行駆動装置３を後方に駆動する（洗車機本体１を後方へ移動させる駆動信号を出力する）（ステップ−16）。これにより、洗車機本体１を後方へ移動し、運転席の窓に操作装置52の操作面が対向する。
【００６２】
また普通乗用車タイプ（あるいはミニバンタイプ）の車両４が標準より大型車の場合、前輪と運転席の窓との距離が標準より長く、窓より前方の位置に操作装置52が位置するときがある。このとき、運転者は窓を開けて、右側移動操作パネル59の操作押しボタンスイッチ56を操作する。
【００６３】
この右側移動操作パネル59の操作押しボタンスイッチ56の操作信号を確認すると（ステップ−17）、一定時間、走行駆動装置３を前方に駆動する（洗車機本体１を前方へ移動させる駆動信号を出力する）（ステップ−18）。これにより、洗車機本体１を前方へ移動し、運転席の窓に操作装置52の操作面が対向する。
【００６４】
次に実施の形態１と同様に、スピーカ12から繰り返し回数“１”で操作装置52に対するアナウンスを行い、ドアミラー，アンテナに対するアナウンスを行う（ステップ−19）。詳細な説明は省略する。運転者は、操作装置52のスイッチ群24などを操作し洗車条件などを入力し、最後に確認ボタンを操作する。なお、上記ステップにより、車載検出スイッチ９がオンのときだけ、左右の移動操作パネル58，59の操作押しボタンスイッチ56の操作を行うことができる。
【００６５】
この確認ボタンの操作信号を確認すると（ステップ−20）、スピーカ12により、『窓を閉め終わってから、エンジンを止めて下さい。まもなく洗車が始まります。』を繰り返し回数“３”でアナウンスを行う（ステップ−21）。
【００６６】
車両４の運転者は、このアナウンスにより窓を閉めて洗車の開始を待つ。
洗車機本体１の走行駆動装置３を後方に駆動する（ステップ−22）。これにより洗車機本体１が後方へ移動する。洗車ポジション検出スイッチ５Ｂが動作することにより、洗車開始の洗車ポジションまで後退したかを確認する（ステップ−23）。
【００６７】
上記ステップ−８において、車両４がワンボックスタイプの車両であると確認すると、停止回転灯（赤色ランプ）37を点灯し（ステップ−24）、遮断器９を閉駆動し（ステップ−25）、進入回転灯（青色ランプ）29を消灯し、待機回転灯（赤色ランプ）30を点灯する（ステップ−26）。続いて、タイマーを駆動し（ステップ−27）、スピーカ12により『操作ボックスが移動します。そのままお待ち下さい。』を繰り返し回数“３”でアナウンスを行う（ステップ−28）。
【００６８】
車両４の運転者は、停止回転灯（赤色ランプ）37の点灯とこのアナウンスにより車両４を停止させる。
次にタイマーがタイムアップすると（ステップ−29）、洗車機本体１の走行駆動装置３を後方に駆動し（ステップ−30）、ホームポジション検出スイッチ５Ａが動作し、最奥部のホームポジションＨＰまで後退したことを確認すると（ステップ−31）、洗車機本体１の走行駆動装置３を停止し（ステップ−32）、停止回転灯（赤色ランプ）37を消灯する（ステップ−33）。
【００６９】
これにより、ワンボックスタイプの車両４と判断されたとき、すなわち車両進入検出スイッチ11により検出された時点で、洗車機本体１がレール２に支持案内されてホームポジションＨＰまで移動する。
【００７０】
次に、スピーカ12により『もう一度、赤い停止回転灯が点灯するまでゆっくり前進して下さい。』を繰り返し回数“５”でアナウンスを行う（ステップ−34）。
【００７１】
車両４の運転者は、このアナウンスにより車両４を再びゆっくり前進させる。次に、車載検出スイッチ９がオンかどうかを確認する（ステップ−35）。車載検出スイッチ９がオンとなると、停止回転灯（赤色ランプ）37を点灯し（ステップ−36）、スピーカ12により、『車を止めて下さい。ギヤをパーキングにしサイドブレーキを強くかけて下さい。』を繰り返し回数“３”でアナウンスを行う（ステップ−37）。
【００７２】
車両４の運転者は、停止回転灯（赤色ランプ）37が点灯すると車両４を停止させる。これにより、洗車開始時の車両停止位置へ車両４が停止され、ワンボックスタイプの車両４の運転席の窓の位置に操作装置52の操作面が位置する。
【００７３】
次に実施の形態１と同様に、スピーカ12から繰り返し回数“１”で操作装置52に対するアナウンスを行い、ドアミラー，アンテナに対するアナウンスを行う（ステップ−38）。詳細な説明は省略する。運転者は、操作装置52のスイッチ群24などを操作し洗車条件などを入力し、最後に確認ボタンを操作する。
【００７４】
この確認ボタンの操作信号が入力されたを確認すると（ステップ−39）。スピーカ12により、『窓を閉め終わってから、エンジンを止めて下さい。まもなく洗車が始まります。』を繰り返し回数“３”でアナウンスを行う（ステップ−40）。
【００７５】
上記ステップ−23あるいはステップ−40の終了により、洗車機本体１の走行駆動装置３を前方に駆動し（ステップ−41）、ローラコンベヤ７の作動装置８を後方に作動させる（ステップ−42）。これにより、洗車機本体１は外側レール２に支持案内されてホームポジションＨＰから前方へ走行移動し、洗車装置により所定の洗車工程を行う（ステップ−43）。このとき、ローラコンベヤ７は洗車機本体１と逆方向に作動されることから、車両４は洗車機本体１と逆方向に移動する（相対移動する）。以て、洗車の際、洗車機本体１の移動距離を短縮して洗車し得る。
【００７６】
そして、エンドポジションスイッチ６が動作し、洗車機本体１が走行端のエンドポジションＥＰに到達したことを確認すると（ステップ−44）、洗車機本体１の走行駆動装置３を後方に駆動し（ステップ−45）、ローラコンベヤ７の作動装置８を前方に作動させる（ステップ−46）。これにより、洗車機本体１は外側レール２に支持案内されてエンドポジションＥＰから後方へ走行移動し、洗車装置により所定の洗車工程を行う（ステップ−47）。このとき、ローラコンベヤ７は洗車機本体１と逆方向に作動されることから、車両４は逆方向の前方に移動する。
【００７７】
その後、洗車機本体１がホームポジションＨＰに戻ると（ステップ−48）、洗車機本体１の走行駆動装置３を停止し（ステップ−49）、退場誘導灯11を点灯し（ステップ−50）、スピーカ12により、『洗車終了しました。お車をゆっくり排出して下さい。』を繰り返し回数“３”でアナウンスを行う（ステップ−51）。
【００７８】
これにより、洗車機本体１はホームポジションＨＰで停止し、運転者は車両４を前進させてローラコンベヤ７より下ろし、退場させる。
車両４の移動（退場）により車両退場検出スイッチ15がオンとなると（ステップ−52）、退場誘導灯14を消灯し（ステップ−53）、一定時間、洗車機本体１の走行駆動装置３を前方に駆動し、上記洗車待機位置にまで洗車機本体１を前進させて待機させ（ステップ−54）、終了する。
【００７９】
このように、洗車機本体１と車両４を互いに逆方向に移動させて、洗車することにより、洗車機本体１の移動距離を短縮して洗車することができ、洗車設備の設置スペースを縮小することができる。
【００８０】
また、アナウンス内容毎に繰り返し回数に変化を付け、車両４の移動に関する重要な内容を被洗浄車両の運転者へ伝達するとき繰り返し回数を多くすることにより、強調して伝達することができ、運転者は、必要な情報が目視のみでなく耳から精度良く受け入れることができ、よって運転者の運転に依存する、洗車機本体１と車両４の相対位置関係を精度良く維持することができ、安全で良好な洗車を実行することができる。
【００８１】
またアナウンス内容とアナウンス内容毎の繰り返し回数が操作装置52により設定できることにより、洗車設備が設置された環境や被洗浄車両４の運転者の反応に応じて作業員が判断し、アナウンス内容、アナウンス内容毎の繰り返し回数を変更することができる。
【００８２】
なお、実施の形態２では、操作装置52の前後方向への移動入力手段を、２個の操作押しボタンスイッチ56により構成しているが、３つのポジション、すなわち後方向移動−停止−前方向移動のポジションを有する１個のスイッチにより構成することもできる。
【００８３】
また、本実施の形態１では音声発生手段の音量に強弱を付け、実施の形態２では音声発生手段の繰り返し回数に変化を付けているが、一方に限ることはなく、いずれかの機能を使用するようにすればよく、また音量および繰り返し回数ともに変化させるようにしてもよい。このとき、運転者に対してさらに精度良く内容を伝達することができる。
【００８４】
また本実施の形態１，２では、ローラコンベヤ７を作動装置８により、洗車機本体１とは別個に駆動しているが、ローラコンベヤ７を洗車機本体１の走行駆動装置３の駆動力、あるいは洗車機本体１の移動力の伝達により駆動するようにしてもよい。これにより、洗車機本体１とローラコンベヤ７の移動にさらに同期がとれ、制御が簡単になり、またローラコンベヤ７の作動装置を不要とすることができる。
【００８５】
また本実施の形態１，２では、ローラコンベヤ７により車両４を移動させているが、車両４を移動させない洗車設備においても、操作装置52を洗車機本体１に取り付け、この操作装置52の前後に移動操作パネル58，59を設け、セルフ洗車を行うようにすることもできる。このとき、洗車設備の設置スペースは広くなるが、ローラコンベヤ７が不要となり、さらにこのローラコンベヤ７を設置するピットを設けるなどの工事が不要となり、洗車設備のコストを大幅に低減することができる。
【００８６】
また本実施の形態１，２では、洗車機本体１を移動させているが、洗車機本体１を固定し、ローラコンベヤ７にのみ車両４を移動させる形式とすることもできる。この洗車機本体１を移動させない洗車設備では、実施の形態１と同様に操作装置19を進入通路Ｓ（移動径路）に面して設け、セルフ洗車を行うようにする。
【００８７】
【発明の効果】
以上述べたように本発明によれば、セルフ洗車を行う洗車設備において、アナウンスの音量に強弱をつけることにより、重要な伝達内容を、確実に精度良く伝達できる。
【図面の簡単な説明】
【図１】本発明の実施の形態１における洗車設備の側面図である。
【図２】同洗車設備の平面図である。
【図３】同洗車設備の操作装置の正面図である。
【図４】同洗車設備の移動操作パネルの平面図である。
【図５】同洗車設備の移動操作パネルの正面図である。
【図６】同洗車設備の走行制御構成図である。
【図７】同洗車設備の制御装置の動作を制御するフローチャートである。
【図８】同洗車設備の制御装置の動作を制御するフローチャートである。
【図９】本発明の実施の形態２における洗車設備の側面図である。
【図１０】同洗車設備の平面図である。
【図１１】同洗車設備の操作装置と移動操作パネルの平面図である。
【図１２】同洗車設備の走行制御構成図である。
【図１３】同洗車設備の制御装置の動作を制御するフローチャートである。
【図１４】同洗車設備の制御装置の動作を制御するフローチャートである。
【図１５】同洗車設備の制御装置の動作を制御するフローチャートである。
【符号の説明】
１    洗車機本体
２    レール
３    走行駆動装置
４    被洗浄車両
４Ａ  車輪
５，５Ａ    ホームポジション検出スイッチ
５Ｂ    洗車ポジション検出スイッチ
６    エンドポジション検出スイッチ
７    駆動ローラコンベヤ
８    作動装置
９    車載検出スイッチ
10    車高検出センサ
11Ａ，11Ｂ    車両進入検出スイッチ
12，33    スピーカ
14    退場誘導灯
15    車両退場検出スイッチ
17    遮断器
18    車両検出センサ
19    操作装置
21    支柱脚
22    リモートパネル（操作箱）
23    操作面
24    スイッチ群
25    料金ボックス
26    カード識別器
27    信号器
29    進入回転灯
30    待機回転灯
37    停止回転灯
41    制御装置
58，59    移動操作パネル
【図１】
0003644336.tif 000004
【図２】
0003644336.tif 000005
【図３】
0003644336.tif 000006
【図４】
0003644336.tif 000007
【図５】
0003644336.tif 000008
【図６】
0003644336.tif 000009
【図７】
0003644336.tif 000010
【図８】
0003644336.tif 000011
【図９】
0003644336.tif 000012
【図１０】
0003644336.tif 000013
【図１１】
0003644336.tif 000014
【図１２】
0003644336.tif 000015
【図１３】
0003644336.tif 000016
【図１４】
0003644336.tif 000017
【図１５】
0003644336.tif 000018